(57)【要約】      （修正有）【課題】簡単な構造にして、コンパクトで安価に実施できるとともに、電池で回転するモータ等の特別な動力を使用することなくきれいな音色を楽しむことができる鈴おもちゃを提供する。【解決手段】容器の上部に音放散用窓が形成され、当該容器の内部空間に発音体を組み込んでなり、発音体は容器内に対峙して立設された支持ポストに両端部を合成樹脂製紐若しくは弾性紐からなる吊持用紐で１つ又は複数の金属片を支持し、容器の揺動により前記金属片を打ち合わせて発音可能に構成した。【選択図】図１
0003124901.tif 000002
【実用新案登録請求の範囲】
【請求項１】
容器の上部に音放散用窓が形成され、当該容器の内部空間に発音体を組み込んでなり、発音体は容器内に対峙して立設された支持ポストに両端部を合成樹脂製紐若しくは弾性紐からなる吊持用紐で１つ又は複数の金属片を支持し、容器の揺動により前記金属片を打ち合わせて発音可能に構成したことを特徴とする鈴おもちゃ
【請求項２】
発音体の金属片が矩形若しくは多角形の板状に形成され、複数の金属片の側縁部分を近接させて設けたことを特徴とする請求項１に記載の鈴おもちゃ。
【請求項３】
鈴おもちゃが平面上に置かれたとき、鈴おもちゃの底部と当該平面とが点接触若しくは線接触するように鈴おもちゃの底部を形成したことを特徴とする請求項１に記載の鈴おもちゃ。
【請求項４】
容器が下部部材と上部部材との上下２部材で形成され、周縁部を接合固定してなる請求項１乃至３のいずれか１項に記載の鈴おもちゃ。
【考案の詳細な説明】
【技術分野】
【０００１】
本考案は鈴おもちゃに関するものである。
【背景技術】
【０００２】
一般に鈴おもちゃとしては、風鈴がよく知られている。
この種の風鈴はガラスや陶器等の比較的高音のきれいな音色を発する器を風で揺れる錘で打って音を出すようになっている。
風鈴はその名の通り、風を動力としてきれいな音色を発する器を叩くもので、風がない場所では用をなさないものとなる。
そこで、こうした風がないような場所でも風鈴を人工的に揺らしてきれいな音を出すようにしたものが提案されている。
この先の提案にかかるものは、電池で駆動されるモータによりゆっくり回転する円板に有する爪が揺らし機の基部を弾く振動によって風鈴がゆらされる構造のものである。
【０００３】
一方、浴室は略密閉された空間となり、その中での声や音は反響し、残響等もあることから、楽しく、綺麗に聞こえることから、浴室内で風鈴のようなきれいな音色を鳴らすと一層趣のある音となる。
ところが、浴室内では風がないことから、先の提案にかかる人工的に風鈴を揺らす装置を設けることも考えられるが、風鈴を揺らす装置が電池やモータ、円板等からなることから装置が大型化してしまい高価になってしまうという問題があった。
しかも、浴室内は湿度が高いことから、防錆や防湿構造が難しい先の提案にかかる人工的に風鈴を揺らす装置を浴室内で使用するのは不向きであるという問題もあった。
【特許文献１】特願平９−２８１９７１号公報
【考案の開示】
【考案が解決しようとする課題】
【０００４】
そこで、上記問題点に鑑みて提案されたもので、鈴おもちゃを、簡単な構造にして、コンパクトで安価に実施できるとともに、電池で回転するモータ等の特別な動力を使用することなくきれいな音色を楽しむことができる鈴おもちゃを提供できるようにすることを目的とするものである。
【課題を解決するための手段】
【０００５】
上記目的を達成するために本考案にかかる鈴おもちゃは、容器の上部に音放散用窓が形成され、当該容器の内部空間に発音体を組み込んでなり、発音体は容器内に対峙して立設された支持ポストに両端部を合成樹脂製紐若しくは弾性紐からなる吊持用紐で１つ又は複数の金属片を支持し、容器の揺動により前記金属片を打ち合わせて発音可能に構成したことを最も主要な特徴とするものである。
【０００６】
また、本考案にかかる鈴おもちゃは、発音体の金属片が矩形若しくは多角形の板状に形成され、複数の金属片の側縁部分を近接させて設けたこと、鈴おもちゃが平面上に置かれたとき、鈴おもちゃの底部と当該平面とが点接触若しくは線接触するように鈴おもちゃの底部を形成したことや、容器が下部部材と上部部材との上下２部材で形成され、周縁部を接合固定して構成したことも特徴とするものである。
【考案の効果】
【０００７】
本考案にかかる鈴おもちゃは、容器の上部に音放散用窓が形成され、当該容器の内部空間に、対峙して立設された支持ポストに両端部を合成樹脂製紐若しくは弾性紐からなる吊持用紐で金属片を支持し、容器の揺動により前記金属片を打ち合わせて発音可能に構成した発音体を設けるようにしてあるので、おもちゃを簡単な構造で安価に実施できながら、壊れることも少なく、耐久性にすぐれたものにすることができる。
【０００８】
しかも、本考案にかかる鈴おもちゃの発音体を駆動するのは池に浮かべ、風で水面が揺れたり、雨滴等が当たりして鈴おもちゃが揺れたりする時や、浴槽の水面に浮かべ、入浴時に水面が波立って鈴おもちゃが揺れたり、さらには机等に置かれたものを指ではじいて鈴おもちゃが揺れたりすると、音が出る。
従って、従来の先の提案にかかるもののように電池で回転するモータ等の特別な動力を使用することなく、コンパクトにまとめられ、浴室内できれいな音色を楽しむことができる利点がある。
【０００９】
また、発音体の金属片が矩形若しくは多角形の板状に形成され、複数の金属片の側縁部分を近接させて設けたものでは、複数の金属片から発生する音が協和音となり、先の提案のような単一の音より趣の深いものとなる利点もある。
【００１０】
容器が下部部材と上部部材との上下２部材で形成され、周縁部を接合固定して構成したものでは、下部部材と上部部材とを材質を異ならせることができ、例えば上部部材を衝撃に強い材質にすると、ドラムのようにスチックなどで叩いて音を出すこともでき楽器としても使用することができる利点もある。
【考案を実施するための最良の形態】
【００１１】
以下、本考案にかかる鈴おもちゃの好ましい実施の形態を図面に基づいて説明する。
図１は鈴おもちゃの分解の斜視図であって、図中符号１は鈴おもちゃを全体的に示す。
【００１２】
この鈴おもちゃ１は、ポリプロピレン樹脂でインジェクション成形により形成された底板（下部部材）２とこの上方を覆う蓋部材（上部部材）３の上下二部材からなる容器４と、この容器４の内方に組み込まれた発音体５とを備えてなる。
上記容器４は、全体の形状が雫状の形状にしてあり、底板２の底部分の形状は半球状若しくは断面が円弧状に形成され、鈴おもちゃ１が机等に平面上に置かれたときに、その底部が平面のその設置面に対して点接触若しくは線接触するようになっている。
【００１３】
また、底板２の上部を覆うように取り付けられる蓋部材３は底板２と同様のポリプロピレン樹脂で、インジェクション成形により上方で収束する膨らんだ円錐状に形成されている。
また、蓋部材３の上端部近傍部分には水滴形をした複数の透孔からなる音放散用窓６が形成されている。
【００１４】
上記蓋部材３を底板２に嵌着してその周囲の接合面を高周波により溶着して一体化したときに底板２の自重と後述する発音体５等の重さにより常時、垂直に立ち上がる「起き上がり小法師」のようになっている。
【００１５】
そして、容器４の内方に組み込まれる発音体５は、図１乃至図３に示すように、底板２の上面に複数（図上四個）の支持ポスト７・７・・・を前後に所定間隔を空けて対峙する状態で立設し、アルミ二ウム合金製の矩形に形成された複数（図上二つ）の金属片８・８のそれぞれ両端部から延出された伸縮可能なウレタン糸（合成樹脂製紐若しくは弾性紐からなる吊持用紐）９を前後の支持ポスト７・７・・・に夫々支持させて、隣接する金属片８・８の端円同士が当接乃至は近接する状態で設けて構成してある。
また、図上二つの金属片８・８はその高さを異ならせるために支持ポスト７・７・・・の高さを上下に異ならせてある。
【００１６】
尚、上記伸縮可能なウレタン糸９は、図１に示すように各金属片８・８の両端寄り部分に穿設した小孔１０を通じ、支持ポスト７・７・・・を捲回して１筆書き状にして二つの金属片８・８を吊持するようにしてある。
【００１７】
本考案にかかる鈴おもちゃ１の製作は、先ず、二つの金属片８・８の両端部から延出されたウレタン糸９を前後の支持ポスト７・７・・・に渡って捲回し、二つの金属片８・８を、高さが異なる状態で、且つ側縁部分が近接する状態で支持ポスト７・７・・・に吊持して発音体５を形成する。
次に、発音体５を覆うように蓋部材３を底板２に嵌着してその接合面を高周波で溶着して一体化すると鈴おもちゃ１が完成する。
【００１８】
しかる後、図２に示すようにこの鈴おもちゃ１を入浴時に浴槽のお湯１９に浮かべ、入浴する。
このとき、底板２の自重と後述する発音体５等の重さにより「起き上がり小法師」のように常時、垂直に立ち上がった状態になる。
この状態で入浴により浴槽内の水面１２が昇降・波打ちすると、水面１２に浮かぶ鈴おもちゃ１が揺す振られる。
斯くして鈴おもちゃ１が揺れると、ウレタン糸９で吊持された二つの金属片８・８が衝突・接触してその金属音が発生する。この金属音は蓋部材３に穿設された音放散用窓９から放出され、浴室内で反響して耳に届く。
【００１９】
ここで、上記二つの金属片８・８の大きさや厚さ等を変更すしたり、材質を異ならせたりすることによりその固有振動数（音色）を異ならせると、発音時に協和音（合成音）となって、音放散用窓６から放出されるので趣の深いものとなる。
尚、上記実施の形態では、金属片８・８を二つ設けるようにしてあるが、１つにしてその近傍に金属片８が衝突・接触する部材を形成したり、三つ以上の金属片８を設けたりすることができるのは勿論のことである。
また、金属片８を吊持するウレタン糸９を他の合成樹脂フィラメントやゴム糸や天然繊維を用いることができるが、この場合、耐水性や防蝕性を有するものその加工を施すことが望ましい。
【００２０】
更に、上記実施の形態では、浴室での使用を例示してあるが、池に浮かべて風等による水面の波立ちにより、あるいは雨だれにより、鈴おもちゃ１が揺られて発音体５を作動させるようにしても良いし、
底板２の自重と後述する発音体５等の重さにより「起き上がり小法師」のように常時、垂直に立ち上がった状態になる性質を利用すれば、つきえの上に飾り、これを指で突いたりはじいたりして鈴おもちゃ１を揺るようにすることもできる。
【００２１】
加えて、上記実施の形態では、鈴おもちゃ１の全体の形状を、雫状の形状にしてあるが、こうしたものに限られず、愛玩用動物は勿論のこと、貝や木等の形状、さらには船等の形状にすることができるし、容器４を成形する樹脂はポリエチレン樹脂に限られないことはいうまでもないことである。
加えて、音放散用窓６を形成する複数の水滴状の透孔は、こうした水滴形状に限られず星型や円形、楕円形や正方形、ハート形等の種々の形状の透孔にすることができる。
【００２２】
また、上記実施の形態では上部部材と下部部材とをポリプロピレン樹脂でインジェクション成形により形成するようにしてあるが、こうした同一の材質に限られず、例えば上部部材を対衝撃性の高いＡＢＳ樹脂にすると、スチックで叩いて出す発音体５の音色と叩打音とを楽しめるドラム楽器としても使用することができる。
【図面の簡単な説明】
【００２３】
【図１】は、本考案にかかる鈴おもちゃの分解斜視図である。
【図２】は、本考案にかかる鈴おもちゃの使用状態を示す側面図である。
【図３】は、本考案にかかる鈴おもちゃの蓋部材を取り除いた状態の平面図である。
【符号の説明】
【００２４】
１・・・鈴おもちゃ
２・・・下部部材（底板）
３・・・蓋部材（上部部材）
４・・・容器
５・・・発音体
６・・・音放散用窓
７・・・支持ポスト
８・・・金属片
９・・・ウレタン糸（合成樹脂製紐若しくは弾性紐からなる吊持用紐）
【図１】
0003124901.tif 000003
【図２】
0003124901.tif 000004
【図３】
0003124901.tif 000005